(57)【要約】【課題】制御基板に対する不正行為をより確実に防止可能な基板ケースユニットを提供する。【解決手段】基板ケースユニットは、ボトムケースに形成されたボトム側係合部１５０と、トップケースに形成されケース閉止状態においてボトム側係合部１５０と係合するトップ側係合部１６０と、ボトム側係合部１５０およびトップ側係合部１６０にそれぞれ形成されたボトム側挿入部１５１およびトップ側挿入部１６２に挿入される平板形状のロック部材１４５と、ボトム側係合部１５０に設けられロック部材１４５をボトム側およびトップ側挿入部１５１，１６２に挿入された状態において固定保持する第１固定部材１７０とを有し、ロック部材１４５がボトム側およびトップ側挿入部１５１，１６２内のケース開閉方向の壁面に係合することにより、ボトムケースに対してトップケースが開放方向にスライド移動することを規制するロック機構１４０を備える。【選択図】図１２
2015204940.tif 000002
【特許請求の範囲】
【請求項１】
第１ケース部材および前記第１ケース部材に着脱自在に取り付けられる第２ケース部材を備え、前記第１ケース部材に対して前記第２ケース部材を閉止方向にスライド移動させることにより前記第２ケース部材が前記第１ケース部材に閉止状態で保持され、前記第１ケース部材および前記第２ケース部材に囲まれて形成されるケース内部に制御基板を収容する基板ケースユニットにおいて、
前記第１ケース部材に形成された第１係合部と、前記第２ケース部材に形成され前記閉止状態において前記第１係合部と係合する第２係合部と、前記第１係合部および前記第２係合部にそれぞれ形成された第１挿入部および第２挿入部に挿入される平板形状のロック部材と、前記第１係合部に設けられ前記ロック部材を前記第１および第２挿入部に挿入された状態において固定保持する固定部材とを有し、前記第１および第２挿入部に挿入された前記ロック部材が前記第１および第２挿入部内の前記スライド移動方向の壁面に係合することにより、前記第１ケース部材に対して前記第２ケース部材が開放方向にスライド移動することを規制するロック機構を備えることを特徴とする基板ケースユニット。
【請求項２】
前記ロック機構は、前記第１係合部に形成された前記第１挿入部の前記スライド移動方向の両壁面に前記スライド移動方向に貫通形成された第１挿通孔と、前記第１および第２挿入部に挿入された前記ロック部材に前記第１挿通孔と連通するように形成された第２挿通孔と、前記第１係合部および前記第２係合部にそれぞれ形成された第３挿入部および第４挿入部に挿入される第２固定部材とを有し、
前記第３挿入部および前記第４挿入部が前記第１および第２挿通孔と連通するように形成され、
前記第３および第４挿入部に挿入されて前記スライド移動方向に移動された前記第２固定部材が前記第１および第２挿通孔に挿入されて係止されることにより、前記第２固定部材が前記固定部材とともに前記ロック部材を前記第１および第２挿入部に挿入された状態において固定保持することを特徴とする請求項１に記載の基板ケースユニット。
【請求項３】
前記ロック機構は、前記第２係合部に形成された前記第４挿入部を覆って前記第２係合部に取り付けられるキャップ部材を有し、
前記キャップ部材は、前記第２固定部材の端部に係合して前記第２固定部材が前記第１および第２貫通孔から引き抜かれる方向へ移動することを規制する脚部を有することを特徴とする請求項２に記載の基板ケースユニット。
【請求項４】
前記固定部材は、金属材料を用いて形成され、前記第１挿入部近傍の前記第１係合部の内面を覆うように構成されることを特徴とする請求項１〜３のいずれかに記載の基板ケースユニット。
【発明の詳細な説明】
【技術分野】
【０００１】
本発明は、遊技機の制御に用いる制御基板を収容する基板ケースユニットに関する。
【背景技術】
【０００２】
ぱちんこ遊技機等の遊技機には、該遊技機に搭載された電子部品の作動を制御する制御基板が設けられている。例えば、主制御基板ないしメイン制御基板と称される制御基板には、遊技機の制御ソフトウェアが書き込まれたＲＯＭが搭載され、遊技機の作動を統括的に制御する中枢制御装置としての役割を有している。そのため、遊技機の制御基板は、偽造ＲＯＭへの差し替えや不正回路の付加などの行為対象になりやすい。
【０００３】
このような不正行為を防止して公正な遊技に供するため、制御基板は、ともに透明な樹脂材料を用いて形成されたケース本体とその前方に開閉可能に装着されるケース蓋とからなる基板ケース内に収容されている。また、基板ケースには、ケース本体に対してケース蓋を閉止状態で装着したときに、ケース本体の側に形成した係合部とケース蓋の側に形成した係合部とが係合連結することで基板ケースを閉止状態でロックし、ケース蓋（もしくはケース本体）とその係合部との間を繋ぐ連結部をニッパー等の工具を用いて切り離さない限り基板ケースを開放不能にする不正開放防止機構（ロック機構）が設けられている（例えば、特許文献１を参照）。
【先行技術文献】
【特許文献】
【０００４】
【特許文献１】特開２００４‐６５２８０号公報
【発明の概要】
【発明が解決しようとする課題】
【０００５】
しかしながら、制御基板に対する不正行為は巧妙化しており、このような不正行為をより確実に防止する対策が求められている。
【０００６】
本発明は、このような課題に鑑みてなされたものであり、制御基板に対する不正行為をより確実に防止可能な基板ケースユニットを提供することを目的とする。
【課題を解決するための手段】
【０００７】
このような目的達成のために、本発明に係る基板ケースユニットは、第１ケース部材（例えば、実施形態におけるボトムケース１２０）および前記第１ケース部材に着脱自在に取り付けられる第２ケース部材（例えば、実施形態におけるトップケース１３０）を備え、前記第１ケース部材に対して前記第２ケース部材を閉止方向にスライド移動させることにより前記第２ケース部材が前記第１ケース部材に閉止状態で保持され、前記第１ケース部材および前記第２ケース部材に囲まれて形成されるケース内部に制御基板を収容するように構成される。その上で、前記第１ケース部材に形成された第１係合部（例えば、実施形態におけるボトム側係合部１５０）と、前記第２ケース部材に形成され前記閉止状態において前記第１係合部と係合する第２係合部（例えば、実施形態におけるトップ側係合部１６０）と、前記第１係合部および前記第２係合部にそれぞれ形成された第１挿入部および第２挿入部に挿入される平板形状のロック部材と、前記第１係合部に設けられ前記ロック部材を前記第１および第２挿入部に挿入された状態において固定保持する固定部材（例えば、実施形態における第１固定部材１７０）とを有し、前記第１および第２挿入部に挿入された前記ロック部材が前記第１および第２挿入部内の前記スライド移動方向の壁面に係合することにより、前記第１ケース部材に対して前記第２ケース部材が開放方向にスライド移動することを規制するロック機構を備える。
【発明の効果】
【０００８】
本発明によれば、制御基板に対する不正行為をより確実に防止することが可能である。
【図面の簡単な説明】
【０００９】
【図１】本実施形態に係る主制御基板ケースユニットを備えたぱちんこ遊技機の斜視図である。
【図２】上記ぱちんこ遊技機の背面図である。
【図３】上記主制御基板ケースユニットの分解斜視図である。
【図４】上記主制御基板ケースユニットにおけるロック機構を構成するボトムケースに形成されたボトム側係合部を示す図であり、（ａ）は斜視図、（ｂ）は平面図、（ｃ）は側面図である。
【図５】上記ロック機構を構成するトップケースに形成されたトップ側係合部を示す図であり、（ａ）は上方から見た斜視図、（ｂ）は底面図、（ｃ）は側面図である。
【図６】上記トップ側係合部を示す図であり、（ａ）は図５（ａ）と異なる角度において上方から見た斜視図、（ｂ）は下方から見た斜視図である。
【図７】上記ロック機構を構成するロック部材を示す図であり、（ａ）は斜視図、（ｂ）は左方から見た側面図、（ｃ）は後方から見た側面図である。
【図８】上記ロック機構を構成する第１固定部材を示す図であり、（ａ）は斜視図、（ｂ）は平面図、（ｃ）は側面図である。
【図９】上記ロック機構を構成する第２固定部材を示す図であり、（ａ）は斜視図、（ｂ）は平面図、（ｃ）は側面図である。
【図１０】上記ロック機構を構成するキャップ部材を示す図であり、（ａ）は上方から見た斜視図、（ｂ）は下方から見た斜視図、（ｃ）は側面図である。
【図１１】（ａ）は上記ボトム側係合部に第１固定部材を装着する以前の状態を示す斜視図、（ｂ）は第１固定部材を装着した状態を示す斜視図である。
【図１２】（ａ）はトップケースを閉止方向にスライド移動させてボトム側係合部にトップ側係合部を係合させる途中の状態を示す斜視図、（ｂ）はボトム側係合部にトップ側係合部を係合させた状態を示す斜視図である。
【図１３】上記ロック部材および第１固定部材の関係を説明するための断面図であり、（ａ）はロック部材を挿入する以前の状態を示す断面図であり、（ｂ）はロック部材を挿入した状態を示す断面図である。
【図１４】（ａ）は上記第２固定部材を装着する以前の状態を示す斜視図、（ｂ）は上記キャップ部材を装着する以前の状態を示す斜視図である。
【図１５】上記第２固定部材、ボトム側挿入部およびロック部材の関係を説明するための断面図であり、（ａ）は第２固定部材を装着する以前の状態を示す断面図であり、（ｂ）はボトム側挿入部およびロック部材の挿通孔に第２固定部材を挿入する以前の状態を示す断面図、（ｃ）は第２固定部材を挿入した状態を示す断面図である。
【図１６】上記キャップ部材および第２固定部材の関係を説明するための断面図であり、（ａ）はキャップ部材を装着する以前の状態を示す断面図、（ｂ）はキャップ部材を装着した状態を示す断面図である。
【図１７】上記トップ側係合部に形成された係止壁と第１固定部材の関係を説明するための断面図である。
【図１８】（ａ）上記主制御基板ケースユニットを開放させるためにトップ側係合部の一部を切断する以前の状態を示す平面図、（ｂ）は上記トップ側係合部の一部を切断した状態を示す平面図、（ｃ）はトップケースを開放方向にスライド移動させたときのトップ側およびボトム側係合部を示す平面図である。
【図１９】（ａ）上記主制御基板ケースユニットを開放させるためにトップ側係合部の一部を切断した状態を示す斜視図、（ｂ）はトップケースを開放方向にスライド移動させたときのトップ側およびボトム側係合部を示す斜視図である。
【発明を実施するための形態】
【００１０】
以下、本発明の好ましい実施形態について図面を参照して説明する。本発明に係る基板ケースユニットを備えた遊技機の代表例として、ぱちんこ遊技機ＰＭの斜視図および背面図を図１および図２に示しており、まず、これらの図を参照してぱちんこ遊技機ＰＭの全体構成について説明する。
【００１１】
［ぱちんこ遊技機の全体構成］
始めに、図１を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１２】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２には、遊技盤１０が着脱可能にセット保持され、常には閉鎖保持されるガラス枠５の複層ガラス５ａを通して遊技盤１０の正面の遊技領域ＰＡを視認可能に臨ませるようになっている。
【００１３】
ガラス枠５の下部には遊技球を貯留する上下の球皿（上球皿６ａおよび下球皿６ｂ）が設けられ、下球皿６ｂの正面右側には遊技球の発射操作を行う発射ハンドル７が設けられている。ガラス枠５の前面側には、発光ダイオード（ＬＥＤ）やランプ等の電飾装置８や、遊技の展開状態に応じて効果音を発生させるスピーカ９が設けられている。
【００１４】
図１では詳細な図示を省略しているが、遊技盤１０は、ルータ加工等を施した矩形状の積層合板に、所定の図柄が印刷されたセルを貼り付けて成型される化粧板を基板とし、上下のレール飾りに囲まれて略円形状の遊技領域ＰＡが形成される。遊技領域ＰＡには、多数本の遊技釘、風車、中央飾り、遊技の進行状況に応じて所定の画像が表示される演出表示装置、各種入賞口などの遊技構成部品が設けられ、遊技領域ＰＡの下端部には入賞口に落入することなく落下した遊技球を裏面側に排出するためのアウト口が遊技盤１０を前後に貫通して形成されている。
【００１５】
続いて、図２を参照しながら、ぱちんこ遊技機ＰＭの背面側の基本構造を説明する。前枠２の背面側には、中央に前後連通する窓口を有して前枠２よりも幾分小型の矩形枠状に形成された基枠体をベースとしてなる裏セット盤３０が、上下のヒンジ機構３を介して前枠２後方に横開き開閉および着脱が可能に連結されている。この裏セット盤３０には、前面開放の矩形箱状をなす裏セットカバー３０Ｃが着脱自在に装着されており、常には前枠２に取り付けられた遊技盤１０の裏面側を覆って配設されている（これにより後述する主制御基板ケースユニット１００および演出制御基板ケースユニット２００が裏セットカバー３０Ｃにより覆われる）。
【００１６】
裏セット盤３０の各部には、多数個の遊技球を貯留する球貯留タンク３１、球貯留タンク３１から右方に緩やかな下り傾斜を有して延びるタンクレール３２、タンクレール３２の右端部に繋がり下方に延びる球供給通路部材３３、球供給通路部材３３により導かれた遊技球を払い出す賞球払出ユニット３４、賞球払出ユニット３４から払い出された遊技球を上球皿６に導くための賞球通路部材３５などが設けられている。
【００１７】
遊技盤１０の背面側には、ぱちんこ遊技機ＰＭの作動を統括的に制御する主制御基板４１（主制御基板ケースユニット１００）や、遊技展開に応じた画像表示、効果照明、効果音等の演出全般の制御を行う演出制御基板４２（演出制御基板ケースユニット２００）などが取り付けられている。これに対して、裏セット盤３０の背面側には、遊技球の発射および払い出しに関する制御を行う払出制御基板４３（払出制御基板ケースユニット３００）や、遊技施設側から受電して各種制御基板や電気・電子部品に電力を供給する電源基板４４（電源基板ケースユニット４００）などが取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００１８】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル７を回動操作することにより遊技が開始される。発射ハンドル７が回動操作されると、上球皿６ａに貯留された遊技球が、ガラス枠５の背面側に配設される球送り機構によって１球ずつ発射機構に送り出され、発射機構により遊技領域ＰＡに打ち出されて、以降パチンコゲームが展開される。
【００１９】
［主制御基板ケースユニットの構成］
次に、本実施形態に係る主制御基板ケースユニット１００の構成について図３〜図１９を用いて説明する。なお、図４〜図６、図１１、図１２、図１４〜図１６、図１８および図１９においては、説明の理解を容易にするために、主制御基板ケースユニット１００から要部のみを切り離した状態でこれらのみを取り出して図示している。また、以降の説明においては、説明の便宜のため、上下、前後および左右の方向は図３の状態を基準にして定義し、図３に示す矢印の方向をそれぞれ上下方向、前後方向および左右方向と称して説明する。
【００２０】
主制御基板ケースユニット１００は、図３に示すように、ぱちんこ遊技機ＰＭにおける制御の中枢を担う前述の主制御基板４１と、主制御基板４１を内部に収容する略矩形箱状の基板ケース１１０と、基板ケース１１０を閉止状態でロックするロック機構１４０とを有して構成されている。
【００２１】
主制御基板４１は、詳細図示を省略しているが、矩形状のプリント配線板を基板として種々の半導体デバイスや抵抗、コンデンサ、コネクタ等の電子・電気部品が実装されて構成されている。この主制御基板４１は、基板ケース１１０（後述するトップケース１３０）の内面にネジ止め固定される。
【００２２】
基板ケース１１０は、遊技盤１０の背面に着脱されるボトムケース１２０と、このボトムケース１２０に着脱自在に取り付けられるトップケース１３０とを備えて構成されている。ボトムケース１２０およびトップケース１３０は、透明な樹脂材料（例えば、ポリカーボネート等）を用いて射出成形等の成形手段により形成され、外部からでも基板ケース１１０内を視認可能に構成されている。
【００２３】
ボトムケース１２０は、矩形板状の基壁１２０ａおよび基壁１２０ａの周縁から立設された前後左右の側壁１２０ｂを有し、全体として上面が開放された矩形箱状に形成されている。前後の側壁１２０ｂの外面には複数の取付溝１２１が形成されている。取付溝１２１は、上方に開口する挿入溝部１２１ａと挿入溝部１２１ａの下部から右方に延びる係止溝部１２１ｂとから構成され、前後方向から見たときにＬ字状に形成されている。
【００２４】
トップケース１３０は、矩形板状の基壁１３０ａおよび基壁１３１ａの周縁から下方に立設された前後左右の側壁１３０ｂを有し、全体として下面が開放された矩形箱状に形成されている。前後の側壁１３０ｂの内面には、ボトムケース１２０の取付溝１２１と同じ数および同じ配置間隔の取付突起１３１が形成されている。トップケース１３０は、取付突起１３１をボトムケース１２０の取付溝１２１（挿入溝部１２１ａ）に上方から挿入してボトムケース１２０の上方開口を覆い、その後、ボトムケース１２０に対してトップケース１３０を右方（閉止方向）にスライド移動させて取付突起１３１を取付溝１２１の係止溝部１２１ｂに挿入させることにより、ボトムケース１２０に閉止状態で装着（保持）されるように構成されている。
【００２５】
基板ケース１１０は、このようにトップケース１３０がボトムケース１２０に閉止状態で装着され、ボトムケース１２０およびトップケース１３０に囲まれて形成されるケース内部に主制御基板４１を収容するように構成されている。このように主制御基板４１を収容した状態において、ボトムケース１２０に対してトップケース１３０が左方（開放方向）にスライド移動することを規制して基板ケース１１０を閉止状態でロックするロック機構１４０が設けられている。
【００２６】
なお、トップケース１３０には、主制御基板４１のコネクタ（図示省略）の実装位置に対応して表裏貫通するコネクタ挿抜口（図示せず）が形成されており、主制御基板４１が基板ケース１１０内に収容された状態において、主制御基板４１のコネクタがコネクタ挿抜口を通して外部に露出し、演出制御基板４２や払出制御基板４３等とハーネス（コネクタケーブル）を介して電気接続可能となる。
【００２７】
ロック機構１４０は、ボトムケース１２０の右側の側壁１２０ｂに形成されたボトム側係合部１５０と、トップケース１３０の右側の側壁１３０ｂに形成され、トップケース１３０がボトムケース１２０に装着された状態においてボトム側係合部１５０と係合するトップ側係合部１６０と、矩形平板状のロック部材１４５（図１２を参照）と、ボトム側係合部１５０に装着される第１固定部材１７０（図１１を参照）と、ボトム側およびトップ側係合部１５０，１６０に装着される第２固定部材１７５（図１４を参照）と、トップ側係合部１６０に装着されるキャップ部材１８０（図１４を参照）とを有して構成されている。
【００２８】
ボトム側係合部１５０は、図３および図４に示すように、ボトムケース１２０の基壁１２０ａに一体に繋がる矩形板状の基壁１５０ａ、および基壁１５０ａの周縁から立設されボトムケース１２０の右側の側壁１２０ｂに一体に繋がる前後および右側の側壁１５０ｂを有して構成されている。基壁１５０ａの上面には、二つの平板形状の挿入壁１５１ａを左右方向に所定の間隔（ロック部材１４５を挿入可能な間隔）を置いて前後方向に延びて並設して構成されたボトム側挿入部１５１が形成されている。左右の挿入壁１５１ａの左右面にはそれぞれ、表裏貫通した挿通孔１５２が形成されている。これらの挿通孔１５２は、互いに同一形状且つ左右方向から見て位置整合して連通するように形成されている。本実施形態の挿通孔１５２は、上下方向に延びるスリットの上部が前側に拡がるとともに下部が後側に拡がるような形状に形成されている。
【００２９】
また、ボトム側係合部１５０の基壁１５０ａの上面において、左右の挿入壁１５１ａの前方および後方位置（ボトム側係合部１５０の前後の側壁１５０ｂとの間の位置）にはそれぞれ、左右方向に延びて立設された平板形状の囲み壁１５３が形成されている。さらに、右側の挿入壁１５１ａの右方位置（ボトム側係合部１５０の右側の側壁１５０ｂとの間の位置）には、二つの平板形状のガイド壁を前後方向に所定の間隔（第２固定部材１４８を挿入可能な間隔）を置いて左右方向に延びて並設して構成されたガイド部１５４が形成されている。
【００３０】
トップ側係合部１６０は、図３、図５および図６に示すように、トップケース１３０の基壁１３０ａに一体に繋がる矩形板状の基壁１６０ａ、および基壁１６０ａの周縁から下方に立設されトップケース１３０の右側の側壁１３０ｂに一体に繋がる前後および右側の側壁１６０ｂを有して構成されている。右側の側壁１６０ｂの中央部は大きく開口しており、その開口の上方位置において前後方向に延びて右方に突出する突出部１６１が形成されている。この突出部１６１は、トップケース１３０をボトムケース１２０に装着したときに、ボトム側係合部１５０の右側の側壁１５０ｂの上端部に形成された凹部１５５（図４を参照）に嵌合されるようになっている。
【００３１】
トップ側係合部１６０の基壁１６０ａの上面には、上下貫通した挿入孔１６２ａおよび挿入孔１６２ａの左右前後において下方に立設された前後左右の挿入壁１６２ｂから構成されたトップ側挿入部１６２が形成されている。トップ側挿入部１６２は、トップケース１３０をボトムケース１２０に装着したときに、ボトム側挿入部１５１の上方に位置してボトム側挿入部１５１と連通する配置構成になっている。
【００３２】
基壁１６０ａの上面におけるトップ側挿入部１６２の右方位置（突出部１６１との間の位置）には、矩形凹状のキャップ装着凹部１６３が形成されている。キャップ装着凹部１６３の底面には、上下貫通して左右方向に延びる挿入孔１６３ａが形成されている。この挿入孔１６３ａは、第２固定部材１７５を挿入可能な大きさを有しており、トップケース１３０をボトムケース１２０に装着したときに、ボトム側係合部１５０のガイド部１５４の上方に位置してガイド部１５４と連通する配置構成になっている。
【００３３】
また、トップ側係合部１６０の基壁１６０ａの上面には、トップ側挿入部１６２およびキャップ装着凹部１６３の前後および左側を取り囲む位置において上下貫通した複数の貫通孔１６４が並んで形成されている。これらの貫通孔１６４は、ロック機構１４０により閉止状態でロックされた基板ケース１１０を開放させるときに切断される切断部になっている。
【００３４】
基壁１６０ａの下面におけるトップ側挿入部１６２の前方および後方の近傍位置にはそれぞれ、内側に斜め下方に延びる前後の係止壁１６５が形成されている。前後の係止壁１６５の下面は、トップケース１３０をボトムケース１２０に装着したときに、ボトム側係合部１５０に装着された第１固定部材１７０の後述する前後の係止部１７１の上面にそれぞれ係合するようになっている（図１７を参照）。また、基壁１６０ａの下面におけるトップ側挿入部１６２の左方位置には、前後方向に延びて下方に立設された左壁１６６が形成されている。
【００３５】
ロック部材１４５は、図７に示すように、トップ側係合部１６０のトップ側挿入部１６２およびボトム側係合部１５０のボトム側挿入部１５１に挿入可能な矩形平板状に形成されている。ロック部材１４５の左右面には、表裏貫通した挿通孔１４６が形成されている。この挿通孔１４６は、ボトム側挿入部１５１における二つの挿入壁１５１ａの挿通孔１５２と同一形状に形成されている。また、挿通孔１４６は、ロック部材１４５をボトム側挿入部１５１に挿入したときに、左右方向から見て二つの挿入壁１５１ａの挿通孔１５２とそれぞれ位置整合して連通するように形成されている。ロック部材１４５の前後面にはそれぞれ係止凹部１４７が形成されている。前後の係止凹部１４７は、下方にいくにつれて深さが深くなるように傾斜した傾斜面１４７ａと、傾斜面１４７ａの下端部から前後左右に広がる係止面１４７ｂとから構成されている。
【００３６】
第１固定部材１７０は、図８に示すように、金属製の平板材料の前後端部をそれぞれ上方に略直角に折り曲げて形成され、さらにそれらの先端部を内側に斜め下方を向くように折り曲げて形成された前後の係止部１７１を有して構成されている。第１固定部材１７０の底面部には、上下貫通した取付孔１７２が形成されている。この取付孔１７２は、ボトム側係合部１５０のボトム側挿入部１５１を挿入可能な大きさに形成されている。
【００３７】
第２固定部材１７５は、図９に示すように、上下左右に広がる矩形平板状の基部１７５ａと、基部１７５ａの左面から左方に延びて上下に並んで形成された二つの平板形状の固定部１７５ｂとを有して構成されている。上側の固定部１７５ｂの後面先端部には係止爪部１７６が形成されている。また、下側の固定部１７５ｂの前面先端部にも同様の係止爪部１７６が形成されている。
【００３８】
キャップ部材１８０は、図１０に示すように、トップ側係合部１６０のキャップ装着凹部１６３に挿入可能な大きさの矩形平板状のキャップ本体１８０ａと、キャップ本体１８０ａの周縁から下方に立設された前後左右の側壁１８０ｂと、キャップ本体１８０ａの下面の略中央部から下方に立設され前後方向に延びて前後の側壁１８０ｂに繋がる中間壁１８０ｃとを有して構成されている。中間壁１８０ｃの下面中央部には、前後方向に延びる平板状の脚部１８１が形成されている。脚部１８１は、中間壁１８０ｃの前後幅よりも小さく形成されるとともに、前後左右の側壁１８０ｂよりも下方に突出するように形成されている。左側の側壁１８０ｂの中央部には、下方に開口した矩形凹状の凹部１８２が形成されている。この凹部１８２は、キャップ部材１８０がキャップ装着凹部１６３に装着されたときに、ボトム側およびトップ側係合部１５０，１６０に装着された第２固定部材１７５の基部１７５ａの上部が挿入されるようになっている。
【００３９】
［主制御基板ケースユニットの作用］
次に、このように構成される主制御基板ユニット１００の作用について、図３および図１１〜図１９を用いて説明する。主制御基板ケースユニット１００を組み立てるには、まず始めに、トップケース１３０の内面側に主制御基板４１をネジ止め固定してトップケース１３０に主制御基板４１を取り付ける。また、図１１に示すように、ボトムケース１２０のボトム側係合部１５０において、左右の挿入壁１５１ａを第１固定部材１７０の取付孔１７２に下方から挿入するようにして第１固定部材１７０をボトム側係合部１５０に取り付ける。このとき、第１固定部材１７０の底面部により、左右の挿入壁１５１ａ近傍のボトム側係合部１５０の内面（基壁１５０ａの上面）が覆われるようになっている。また、第１固定部材１７０の前後外面がボトム側係合部１５０の前後の囲み壁１５３と近接対向するようになっている。
【００４０】
そして、図３に示すように、トップケース１３０の取付突起１３１をボトムケース１２０の取付溝１２１（挿入溝部１２１ａ）に上方から挿入してトップケース１３０によってボトムケース１２０の上方開口を覆い、その後、ボトムケース１２０に対してトップケース１３０を右方（閉止方向）にスライド移動させて取付突起１３１を取付溝１２１の係止溝部１２１ｂに挿入させる。これによりトップケース１３０がボトムケース１２０に閉止状態で保持（装着）され、ボトムケース１２０およびトップケース１３０に囲まれて形成されるケース内部に主制御基板４１が収容される。このとき、図１２に示すように、ボトム側係合部１５０とトップ側係合部１６０が係合し、ボトム側挿入部１５１とトップ側挿入部１６２とが前後左右において位置整合して連通するようになっている（図１５も参照）。また、キャップ装着凹部１６３の挿入孔１６３ａとボトム側係合部１５０のガイド部１５４とが前後左右において位置整合して上下に対向するようになっている。
【００４１】
続いて、図１２(ｂ)に示すように、ロック部材１４５をトップ側挿入部１６２およびボトム側挿入部１５１に上方から挿入する。このとき、図１３に示すように、ロック部材１４５の下面が第１固定部材１７０の斜め下方に傾斜した前後の係止部１７１の上面に当接し、前後の係止部１７１の下部が下方に移動するように第１固定部材１７０が変形する（撓む）。そして、ロック部材１４５がボトム側挿入部１５１内に完全に挿入されると、前後の係止部１７１がロック部材１４５の前後の係止凹部１４７にそれぞれ挿入される（図１３(ｂ)において破線の円によって示した部分を参照）。これにより、ロック部材１４５のボトム側およびトップ側挿入部１５１，１６２から引き抜かれる方向（上方）への移動が規制され、ロック部材１４５がボトム側およびトップ側挿入部１５１，１６２内に挿入された状態において固定保持される。
【００４２】
また、このとき、図１７に示すように、トップ側係合部１６０の下面に形成された前後の係止壁１６５の下面が、第１固定部材１７０の前後の係止部１７１の上面に係合（当接）する（図１７において破線の楕円によって示した部分を参照）。これにより、前後の係止部１７１の下部が上方に移動するように第１固定部材１７０が変形することが規制され、ロック部材１４５がボトム側およびトップ側挿入部１５１，１６２から引き抜かれることが防止される。
【００４３】
このようにロック部材１４５がボトム側およびトップ側挿入部１５１，１６２内に挿入されると、図１５に示すように、ロック部材１４５の左右面が、ボトム側挿入部１５１の左右の挿入壁１５１ａとトップ側挿入部１６２の前後左右の挿入壁１６２ｂとに挟まれて係合する。特に、ロック部材１４５の左面がボトム側挿入部１５１の左側の挿入壁１５１ａと係合し、ロック部材１４５の右面がトップ側挿入部１６２の右側の挿入壁１６２ｂと係合することにより、ボトムケース１２０に対してトップケース１３０が左方（開放方向）にスライド移動することが規制される。また、ロック部材１４５の上端部がトップ側挿入部１６２内に入り込んだ状態となる。
【００４４】
次に、図１４(ａ)に示すように、第２固定部材１７５をトップ側係合部１６０のキャップ装着凹部１６３の挿入孔１６３ａに上方から挿入し、第２固定部材１７５をボトム側係合部１５０のガイド部１５４（前後のガイド壁の間）に挿入する。そして、図１５に示すように、第２固定部材１７５をガイド部１５４に沿って左方にスライド移動させる。このとき、第２固定部材１７５の上下の固定部１７５ｂの係止爪部１７６が、ボトム側挿入部１５１の右側の挿入壁１５１ａの挿通孔１５２を形成する内面に当接し、上下の係止爪部１７６が前方もしくは後方に移動するように第２固定部材１７５が変形する（撓む）。そして、このように第２固定部材１７５が変形しながら、上下の固定部１７５ｂが右側の挿入壁１５１ａの挿通孔１５２、ロック部材１４５の挿通孔１４６および左側の挿入壁１５１ａの挿通孔１５２の順に挿入される。
【００４５】
第２固定部材１７５を完全に左方にスライド移動させると、上下の係止爪部１７６が左側の挿入壁１５１ａの左面と係合する（図１５(ｃ)において破線の楕円によって示した部分を参照）。これにより、第２固定部材１７５の右方へのスライド移動が規制され、上下の固定部１７５ｂが挿通孔１５２，１４６，１５２に挿入された状態において第２固定部材１７５が係止される。このとき、第２固定部材１７５の基部１７５ａの左面下部がボトム側挿入部１５１の右側の挿入壁１５１ａの右面と係合し、基部１７５ａの左面上部がボトム側挿入部１６２の右側の挿入壁１６２ｂの右面と係合する。このように第２固定部材１７５が係止されることにより、上述した第１固定部材１７０による固定保持とともに、ロック部材１４５がボトム側およびトップ側挿入部１５１，１６２内に挿入された状態において固定保持される。
【００４６】
次に、図１４(ｂ)に示すように、キャップ部材１８０をトップ側係合部１６０のキャップ装着凹部１６３に装着する。このとき、図１６に示すように、キャップ部材１８０の脚部１８１の左面が、第２固定部材１７５の基部１７５ａの右面と係合し（図１６(ｂ)において破線の楕円によって示した部分を参照）、第２固定部材１７５の右方へのスライド移動が規制される。このように、キャップ部材１８０の脚部１８１の左面が第２固定部材１７５（基部１７５ａ）の右面と係合し、上述したように第２固定部材１７５（基部１７５ａ）の左面下部がボトム側挿入部１５１の右側の挿入壁１５１ａの右面と係合と係合することにより、ボトムケース１２０に対してトップケース１３０が左方（開放方向）にスライド移動することが規制される。キャップ部材１８０をキャップ装着凹部１６３に装着すると、キャップ部材１８０のキャップ本体１８０ａがキャップ装着凹部１６３内に入り込んだ状態となる。
【００４７】
キャップ部材１８０がキャップ装着凹部１６３に装着されると、次に、例えば超音波溶着や振動溶着などの所定の溶着手段によってキャップ部材１８０をキャップ装着凹部１６３内に溶着固定する。また、同様の溶着手段によってロック部材１４５をトップ側挿入部１６２内に溶着固定する。なお、このような溶着固定ではなく、例えばフェノール樹脂系やエポキシ系の接着剤などを用いて接着固定するようにしてもよい。
【００４８】
このように、ボトム側およびトップ側挿入部１５１，１６２内に挿入されたロック部材１４５の左面がボトム側挿入部１５１の左側の挿入壁１５１ａと係合し、ロック部材１４５の右面がトップ側挿入部１６２の右側の挿入壁１６２ｂと係合する。さらに、第２固定部材１７５（基部１７５ａ）の左面下部がボトム側挿入部１５１の右側の挿入壁１５１ａの右面と係合し、キャップ部材１８０の脚部１８１の左面が第２固定部材１７５（基部１７５ａ）の右面と係合する。その結果、ボトムケース１２０に対してトップケース１３０が左方（開放方向）にスライド移動することが規制され、ボトムケース１２０とトップケース１３０が閉止状態且つロック状態で一体化され、主制御基板ケースユニット１００が組み立てられることとなる。
【００４９】
このように組み立てられた主制御基板ケースユニット１００では、ボトムケース１２０に対してトップケース１３０を開放方向（左方）にスライド移動させようすると、上記のようにロック部材１４５の左面がボトム側挿入部１５１の左側の挿入壁１５１ａと係合（当接）し、ロック部材１４５の右面がトップ側挿入部１６２の右側の挿入壁１６２ｂと係合（当接）することにより規制されるので、ボトムケース１２０に対してトップケース１３０を開放方向にスライド移動させることはできない。さらに、第２固定部材１７５（基部１７５ａ）の左面下部がボトム側挿入部１５１の右側の挿入壁１５１ａの右面と係合し、キャップ部材１８０の脚部１８１の左面が第２固定部材１７５（基部１７５ａ）の右面と係合することによっても、トップケース１３０が開放方向にスライド移動することが規制される。そのため、基板ケース１１０が閉止状態且つロック状態に保持され、基板ケース１１０の不正な開放が防止される。
【００５０】
次に、基板ケース１１０を開放するには、図１８および図１９に示すように、トップ側係合部１６０において、トップ側挿入部１６２およびキャップ装着凹部１６３の前後および左側を取り囲む位置に並んで形成された複数の貫通孔１６４の間を繋ぐ全ての連結部分と、基壁１６０ａおよび右側の側壁１６０ｂにおける突出部１６１の前方および後方部分と（図１８(ａ)において楕円によって示した部分）を、ニッパー等の工具を用いて切断し、突出部１６１、トップ側挿入部１６２、キャップ装着凹部１６３、前後の係止壁１６５および左壁１６６をトップ側係合部１６０の基壁１６０ａから切り離す。このように切り離されると、ボトムケース１２０に対してトップケース１３０が開放方向（左方）にスライド移動可能となり、基板ケース１１０が開放可能な状態となる。
【００５１】
以上、本実施形態に係る主制御基板ケースユニット１００によれば、平板形状のロック部材１４５を、ボトムケース１２０に形成されたボトム側係合部１５０のボトム側挿入部１５１およびトップケース１３０に形成されたトップ側係合部１６０のトップ側挿入部１６２に挿入し、ボトム側係合部１５０に装着された第１固定部材１７０によりロック部材１４５がボトム側およびトップ側挿入部１５１および１６２内に挿入された状態において固定保持される。そして、そのロック部材１４５がボトム側およびトップ側挿入部１５１，１６２の壁面（挿入壁１５１ａおよび挿入壁１６２ｂ）に係合することにより、ボトムケース１２０に対してトップケース１３０が開放方向にスライド移動することが規制される構成である。そのため、基板ケース１１０の不正な開放を防止して、主制御基板４１に対する不正な改造行為を受け難くすることが可能である。また、ロック部材１４５が平板形状であるため、例えば各種情報が格納されたＩＣチップ等をロック部材１４５に配設することが容易であり、これによりロック部材１４５の複製を困難にすることができるとともに、不正行為の予防および早期発見に寄与することが可能となる。また、例えば、ロック部材１４５を、ＩＣチップを実装した電子基板によって構成することもできる。
【００５２】
また、ボトム側挿入部１５１の前後の挿入壁１５１ａに形成された挿通孔１５２，１５２とロック部材１４５に形成された挿通孔１４６とに第２固定部材１７５が挿入されて係止されることにより、上述した第１固定部材１７０による固定保持とともに、ロック部材１４５がボトム側およびトップ側挿入部１５１，１６２内に挿入された状態において固定保持される構成である。そのため、ロック部材１４５をボトム側およびトップ側挿入部１５１，１６２から引き抜くことを略不可能とすることができる。したがって、基板ケース１１０の不正な開放を確実に防止することができる。
【００５３】
また、キャップ装着凹部１６３に装着されたキャップ部材１８０の脚部１８１が第２固定部材１７５と係合し、第２固定部材１７５の取り外し方向（右方）へのスライド移動が規制される構成である。そのため、上述したロック部材１４５による規制とともに、キャップ部材１８０および第２固定部材１７５によっても、ボトムケース１２０に対してトップケース１３０が開放方向にスライド移動することを規制することができる。したがって、基板ケース１１０の不正な開放を確実に防止することができる。
【００５４】
また、ボトム側係合部１５０に取り付けられた金属製の第１固定部材１７０の底面部により、左右の挿入壁１５１ａ近傍のボトム側係合部１５０の内面（基壁１５０ａの上面）が覆われる構成である。そのため、例えば、ドリル等の工具を用いてボトム側係合部１５０の基壁１５０ａに外部から穴を空けてロック部材１４５を取り出そうとしても、この金属製の第１固定部材１７０が邪魔となり、このような不正行為を受け難くすることができる。
【００５５】
また、基板ケース１１０を開放するには、トップ側係合部１６０において、上記のように突出部１６１、トップ側挿入部１６２、キャップ装着凹部１６３、前後の係止壁１６５および左壁１６６をトップ側係合部１６０の基壁１６０ａから切り離さなければならない構造である。そのため、基板ケース１１０が開放された場合には、その痕跡を明瞭に残像させて当該不正行為を早期に発見することができるとともに、基板ケース１１０の構成部品を破壊痕のない状態で使い回すことができなくなる。したがって、複数の中古機等から同型の基板ケース（１１０）を取り出し、これらの中からケース構成部品を無傷の状態でそれぞれ抽出して適宜に組み合わせることにより、１個の新たな基板ケース（１１０）を複製し、これを正規品とすり替える、所謂二個一（ニコイチ）と称される不正行為を未然に防止することが可能である。
【００５６】
なお、本発明は、上記実施形態に限定されるものではなく、本発明の要旨を逸脱しない範囲であれば適宜改良可能である。上述の実施形態では、第１固定部材１７０が金属材料を用いて形成されていると説明したが、ロック部材１４５、第２固定部材１７５およびキャップ部材１８０も金属材料を用いて形成してもよい。また、第１固定部材１７０、ロック部材１４５、第２固定部材１７５およびキャップ部材１８０に共通のシリアルナンバーを付けて管理するように構成してもよい。このように構成すれば、上記のような二個一（ニコイチ）と称される不正行為を防止することができる。
【００５７】
また、上述の実施形態では、キャップ部材１８０が、第２固定部材１７５を挿入して装着するためのトップ側係合部１６０の挿入孔１６３ａを覆う構成について説明したが、キャップ部材が、当該挿入孔１６３ａとともに、ロック部材１４５が挿入されるトップ側挿入部１６２の挿入孔１６２ａも覆うように構成してもよい。また、上述の実施形態では、基板ケース１１０に一つのロック機構１４０が設けられた構成について説明したが、複数のロック機構１４０を設ける構成としてもよい。
【００５８】
なお、上述の実施形態においては、本発明に係る基板ケースユニットをぱちんこ遊技機の主制御基板ケースユニットに適用した場合を例示して説明したが、これに限定されるものではなく、演出制御基板ケースユニットや払出制御基板ケースユニットなどの他の基板ケースユニット等に適用してもよく、更には、ぱちんこ遊技機以外の遊技機、例えばスロットマシンの基板ケースユニットに適用しても同様の効果を得ることが可能である。
【符号の説明】
【００５９】
４１  主制御基板
１００  主制御基板ケースユニット
１１０  基板ケース
１２０  ボトムケース（第１ケース部材）
１３０  トップケース（第２ケース部材）
１４５  ロック部材
１４６  挿通孔（第２挿通孔）
１５０  ボトム側係合部（第１係合部）
１５１  ボトム側挿入部（第１挿入部）
１５１ａ，１５１ａ  挿入壁
１５２，１５２  挿通孔（第１挿通孔）
１６０  トップ側係合部（第２係合部）
１６２  トップ側挿入部（第２挿入部）
１７０  第１固定部材（固定部材）
１７５  第２固定部材
１８０  キャップ部材
１８１  脚部
【図１】
2015204940.tif 000003
【図２】
2015204940.tif 000004
【図３】
2015204940.tif 000005
【図４】
2015204940.tif 000006
【図５】
2015204940.tif 000007
【図６】
2015204940.tif 000008
【図７】
2015204940.tif 000009
【図８】
2015204940.tif 000010
【図９】
2015204940.tif 000011
【図１０】
2015204940.tif 000012
【図１１】
2015204940.tif 000013
【図１２】
2015204940.tif 000014
【図１３】
2015204940.tif 000015
【図１４】
2015204940.tif 000016
【図１５】
2015204940.tif 000017
【図１６】
2015204940.tif 000018
【図１７】
2015204940.tif 000019
【図１８】
2015204940.tif 000020
【図１９】
2015204940.tif 000021